(57)【要約】【課題】予め定められた条件下で測定値の表示を行うことで、患者に対する精神的ストレスの問題やプライバシーの問題を解消できる生体情報測定機器を提供すること。【解決手段】本体と、生体情報を取得する生体情報取得部と、本体に搭載され、取得された生体情報を表示することが可能な表示部とを備える。医療従事者を特定するための医療従事者ＩＤを取り込んで認証する医療従事者ＩＤ認証部を備える。医療従事者ＩＤが認証された後（Ｓ１０１）、上記生体情報の取得前に、表示部に生体情報の表示を許容するか否かを含む予め定められた条件を表す表示／非表示設定情報を入力する設定入力部（Ｓ１０３）を備える。表示／非表示設定情報を記憶する設定情報記憶部を備える。設定情報記憶部に記憶されている表示／非表示設定情報の内容に応じて、取得された生体情報を表示部に表示するか否かの制御を行う表示／非表示切替制御部を備える。【選択図】図５
2013144018.tif 000002
【特許請求の範囲】
【請求項１】
患者から少なくとも１種類以上の生体情報を取得する生体情報測定機器であって、
本体と、
生体情報を取得する生体情報取得部と、
上記本体に搭載され、上記取得された生体情報を表示することが可能な表示部と、
医療従事者を特定するための医療従事者ＩＤを取り込んで認証する医療従事者ＩＤ認証部と、
上記医療従事者ＩＤが認証された後、上記生体情報の取得前に、上記表示部に上記生体情報の表示を許容するか否かを含む予め定められた条件を表す表示／非表示設定情報を入力する設定入力部と、
上記表示／非表示設定情報を記憶する設定情報記憶部と、
上記設定情報記憶部に記憶されている上記表示／非表示設定情報の内容に応じて、上記取得された生体情報を上記表示部に表示するか否かの制御を行う表示／非表示切替制御部とを備えたことを特徴とする生体情報測定機器。
【請求項２】
請求項１に記載の生体情報測定機器において、
患者を特定するための患者ＩＤを取り込んで認証する患者ＩＤ認証部を備え、
上記表示／非表示設定情報は上記患者ＩＤ毎に設定されることを特徴とする生体情報測定機器。
【請求項３】
請求項１または２に記載の生体情報測定機器において、
上記表示／非表示設定情報が表す上記予め定められた条件は、上記生体情報が取得された直後の一定期間だけ上記生体情報の表示を許容するという条件であることを特徴とする生体情報測定機器。
【請求項４】
請求項１から３までのいずれか一つに記載の生体情報測定機器において、
上記表示／非表示設定情報が表す上記予め定められた条件が、上記表示部に上記生体情報の表示を禁止するものである場合、さらに上記生体情報の取得中に上記生体情報の表示を禁止する条件を含むことを特徴とする生体情報測定機器。
【請求項５】
請求項１から４までのいずれか一つに記載の生体情報測定機器において、
上記表示／非表示切替制御部は、上記生体情報取得部によって生体情報が取得された後、上記医療従事者ＩＤ認証部によって医療従事者ＩＤが認証されたとき、上記設定情報記憶部に記憶されている上記表示／非表示設定情報の内容にかかわらず、上記医療従事者ＩＤの認証直後の一定期間だけ上記表示部に上記生体情報を表示させる制御を行うことを特徴とする生体情報測定機器。
【請求項６】
請求項１から５までのいずれか一つに記載の生体情報測定機器において、
上記生体情報取得部は、上記本体の外部に設けられたセンサ装置から上記生体情報を取得することを特徴とする生体情報測定機器。
【請求項７】
請求項６に記載の生体情報測定機器において、
上記センサ装置は、
患者から生体情報を測定して取得するセンサ部と、
上記取得された生体情報を表示することが可能なセンサ側表示部と、
上記本体側から上記表示／非表示設定情報を取り込むセンサ側設定入力部と、
上記取り込まれた表示／非表示設定情報を記憶するセンサ側設定情報記憶部と、
上記センサ側設定情報記憶部に記憶されている上記表示／非表示設定情報の内容に応じて、上記取得された生体情報を上記センサ側表示部に表示するか否かを含む制御を行うセンサ側表示／非表示切替制御部とを備えたことを特徴とする生体情報測定機器。
【請求項８】
請求項７に記載の生体情報測定機器において、
上記センサ側表示／非表示切替制御部は、上記センサ部によって生体情報が取得された後、上記本体側から上記医療従事者ＩＤ認証部によって医療従事者ＩＤが認証されたことを示す医療従事者ＩＤ認証情報を受信したとき、上記センサ側設定情報記憶部に記憶されている上記表示／非表示設定情報の内容にかかわらず、上記医療従事者ＩＤ認証情報の受信直後の一定期間だけ上記センサ側表示部に上記生体情報を表示させる制御を行うことを特徴とする生体情報測定機器。
【請求項９】
請求項１に記載の生体情報測定機器と、
上記生体情報測定機器とネットワークを介して通信可能に設けられたサーバとを備え、
上記サーバは、上記生体情報測定機器が設けられた病院で働く医療従事者名と医療従事者ＩＤとを対応付けて記録した医療従事者一覧リストを記憶する記憶部を備え、
上記生体情報測定機器の上記医療従事者ＩＤ認証部は、上記サーバの上記記憶部に記憶された上記医療従事者一覧リストに基づいて、上記医療従事者ＩＤを認証することを特徴とする生体情報測定システム。
【請求項１０】
請求項９に記載の生体情報測定システムにおいて、
上記生体情報測定機器は、患者を特定するための患者ＩＤを取り込んで認証する患者ＩＤ認証部を備え、
上記サーバは、病院が受付をした患者名と患者ＩＤとを対応付けて記録した患者一覧リストを記憶する記憶部を備え、
上記生体情報測定機器の上記患者ＩＤ認証部は、上記サーバの上記記憶部に記憶された上記患者一覧リストに基づいて、上記患者ＩＤを認証することを特徴とする生体情報測定システム。
【請求項１１】
患者から生体情報を取得するセンサ装置であって、
１つのケーシングに、
患者から生体情報を測定して取得するセンサ部と、
上記取得された生体情報を表示することが可能な表示部と、
上記生体情報の取得前に、上記表示部に上記生体情報の表示を許容するか否かを含む予め定められた条件を表す表示／非表示設定情報を入力する設定入力部と、
上記表示／非表示設定情報を記憶する設定情報記憶部と、
上記設定情報記憶部に記憶されている上記表示／非表示設定情報の内容に応じて、上記取得された生体情報を上記表示部に表示するか否かの制御を行う表示／非表示切替制御部とが搭載されたことを特徴とするセンサ装置。
【発明の詳細な説明】
【技術分野】
【０００１】
この発明は生体情報測定機器に関し、より詳しくは、患者から少なくとも１種類以上の生体情報を取得する生体情報測定機器に関する。
【０００２】
また、この発明は、そのような生体情報測定機器と、医療従事者を特定するための医療従事者ＩＤや患者を特定するための患者ＩＤを記憶するサーバとを備えた生体情報測定システムに関する。
【０００３】
また、患者から生体情報を測定して取得するセンサ装置に関する。
【背景技術】
【０００４】
近年、医療機関では患者の容態や治療過程を記録するカルテの電子化が進んでいる。電子カルテを導入している医療機関では、入院患者自身が生体情報測定機器を用いて血圧や体温、ＳｐＯ２（動脈血酸素飽和度）といった生体情報を測定し、その測定値を看護師がチェックして電子カルテに反映するという業務形態も浸透しつつある。
【０００５】
生体情報測定機器としては、例えば特許文献１（特開２０１０−０１７２５３号公報）に記載のように、生体情報の測定値をＬＣＤ（液晶表示素子）などの表示部に表示させるタイプのものが知られている。
【先行技術文献】
【特許文献】
【０００６】
【特許文献１】特開２０１０−０１７２５３号公報
【発明の概要】
【発明が解決しようとする課題】
【０００７】
しかし、測定値が表示部に表示されるタイプの生体情報測定機器を用いて、入院患者自身が生体情報を測定する場合、患者によっては、測定値を気にするあまり、何度も測定してしまうことがある。このため、そのような患者に対して精神的ストレスを与えるという問題が生ずる。
【０００８】
また、そのような生体情報測定機器が入院患者のベッド周辺に備え付けられている場合、生体情報の測定値が、患者自身だけでなく、周囲の入院患者にまで見られてしまうというプライバシーの問題も生ずる。
【０００９】
そこで、この発明の課題は、予め定められた条件下で測定値の表示を行うことで、患者に対する精神的ストレスの問題やプライバシーの問題を解消できる生体情報測定機器、生体情報測定システムおよびセンサ装置を提供することにある。
【課題を解決するための手段】
【００１０】
上記課題を解決するため、この発明の生体情報測定機器は、
患者から少なくとも１種類以上の生体情報を取得する生体情報測定機器であって、
本体と、
生体情報を取得する生体情報取得部と、
上記本体に搭載され、上記取得された生体情報を表示することが可能な表示部と、
医療従事者を特定するための医療従事者ＩＤを取り込んで認証する医療従事者ＩＤ認証部と、
上記医療従事者ＩＤが認証された後、上記生体情報の取得前に、上記表示部に上記生体情報の表示を許容するか否かを含む予め定められた条件を表す表示／非表示設定情報を入力する設定入力部と、
上記表示／非表示設定情報を記憶する設定情報記憶部と、
上記設定情報記憶部に記憶されている上記表示／非表示設定情報の内容に応じて、上記取得された生体情報を上記表示部に表示するか否かの制御を行う表示／非表示切替制御部とを備えたことを特徴とする。
【００１１】
本明細書で、「生体情報」とは、血圧、体温、ＳｐＯ２（動脈血酸素飽和度）など、患者の生体に関する情報を広く指す。
【００１２】
「医療従事者」とは、看護士、医師、ＭＥ（Medical Engineer）などを広く指す。
【００１３】
また、「ＩＤ」とは、人や物（機器）を識別するための符号を指す。ＩＤは、数字のみに限られるものではなく、アルファベットや記号を含んでいても良い。
【００１４】
「設定入力部」による表示／非表示設定情報の入力は、上記本体に設けられた操作部に対するユーザ、特に医療従事者の操作によって上記表示／非表示設定情報を入力する場合と、上記本体の外部からネットワークを介して上記表示／非表示設定情報を入力する場合とを含む。
【００１５】
上記表示／非表示設定情報が表す「予め定められた条件」とは、単に上記表示部に上記生体情報の表示を許容するか否かのほかに、一定期間だけ上記生体情報の表示を許容する条件などを含むことができる。
【００１６】
この発明の生体情報測定機器では、上記生体情報取得部による生体情報の取得前に予め、医療従事者ＩＤ認証部が、医療従事者を特定するための医療従事者ＩＤを取り込んで認証する。上記医療従事者ＩＤが認証された後、上記生体情報の取得前に、設定入力部は、上記表示部に上記生体情報の表示を許容するか否かを含む予め定められた条件を表す表示／非表示設定情報を入力する。設定情報記憶部は、上記表示／非表示設定情報を記憶する。その状態で、生体情報取得部は生体情報を取得する。すると、表示／非表示切替制御部は、上記設定情報記憶部に記憶されている上記表示／非表示設定情報の内容に応じて、上記取得された生体情報を上記表示部に表示するか否かの制御を行う。この結果、上記表示／非表示設定情報が表す「予め定められた条件」が満たされているとき上記表示部に上記生体情報が表示される一方、上記「予め定められた条件」が満たされていないときは、上記表示部に上記生体情報の表示が禁止される。したがって、この生体情報測定機器によれば、患者に対する精神的ストレスの問題やプライバシーの問題を解消できる。
【００１７】
一実施形態の生体情報測定機器では、
患者を特定するための患者ＩＤを取り込んで認証する患者ＩＤ認証部を備え、
上記表示／非表示設定情報は上記患者ＩＤ毎に設定されることを特徴とする。
【００１８】
この一実施形態の生体情報測定機器では、上記表示／非表示設定情報は上記患者ＩＤ毎に設定される。この場合、医療従事者は、患者の病状や性格に応じて、測定値を上記表示部に表示するか否かを設定できる。生体情報の測定前に、まず、患者ＩＤ認証部が患者を特定するための患者ＩＤを取り込んで認証する。上記生体情報取得部によって生体情報が取得された後、表示／非表示切替制御部は、その患者ＩＤによって特定された患者のための設定に応じて、上記取得された生体情報を上記表示部に表示するか否かを制御する。
【００１９】
一実施形態の生体情報測定機器では、上記表示／非表示設定情報が表す上記予め定められた条件は、上記生体情報が取得された直後の一定期間だけ上記生体情報の表示を許容するという条件であることを特徴とする。
【００２０】
上記生体情報が取得された直後の一定期間は、周囲の入院患者が表示部を覗き込むのを遠慮することがあり、プライバシーの問題は生じにくいと考えられる。また、患者の中には、測定値によって精神的ストレスを受けず、むしろ測定値を知るのが好ましい人もいる。そこで、この一実施形態の生体情報測定機器では、上記表示／非表示設定情報が表す上記予め定められた条件は、上記生体情報が取得された直後の一定期間だけ上記生体情報の表示を許容するという条件であるものとする。この条件に応じて、上記表示／非表示切替制御部は、上記生体情報が取得された直後の一定期間だけ上記表示部に上記生体情報の表示を許容する制御を行う。この結果、患者自身は、取得された生体情報の測定値を知ることができる。
【００２１】
一実施形態の生体情報測定機器では、上記表示／非表示設定情報が表す上記予め定められた条件が、上記表示部に上記生体情報の表示を禁止するものである場合、さらに上記生体情報の取得中に上記生体情報の表示を禁止する条件を含むことを特徴とする。
【００２２】
この一実施形態の生体情報測定機器では、上記表示／非表示設定情報が表す上記予め定められた条件が、上記表示部に上記生体情報の表示を禁止するものである場合、さらに上記生体情報の取得中に上記生体情報の表示を禁止する条件を含む。この場合、患者は、上記生体情報の取得中および上記生体情報の取得後に生体情報の測定値を知ることができない。つまり、患者は、生体情報の測定値を全く知ることができない。この設定は、測定値によって精神的ストレスを受ける患者にとって、有益であると考えられる。
【００２３】
一実施形態の生体情報測定機器では、上記表示／非表示切替制御部は、上記生体情報取得部によって生体情報が取得された後、上記医療従事者ＩＤ認証部によって医療従事者ＩＤが認証されたとき、上記設定情報記憶部に記憶されている上記表示／非表示設定情報の内容にかかわらず、上記医療従事者ＩＤの認証直後の一定期間だけ上記表示部に上記生体情報を表示させる制御を行うことを特徴とする。
【００２４】
この一実施形態の生体情報測定機器では、上記表示／非表示切替制御部は、上記生体情報取得部によって生体情報が取得された後、上記医療従事者ＩＤ認証部によって医療従事者ＩＤが認証されたとき、上記設定情報記憶部に記憶されている上記表示／非表示設定情報の内容にかかわらず、上記医療従事者ＩＤの認証直後の一定期間だけ上記表示部に上記生体情報を表示させる制御を行う。したがって、上記表示／非表示設定情報によって上記表示部に上記生体情報の表示が禁止されている場合であっても、医療従事者は、上記表示部の表示内容を見ることによって、上記取得された生体情報の測定値を知ることができる。
【００２５】
一実施形態の生体情報測定機器では、上記生体情報取得部は、上記本体の外部に設けられたセンサ装置から上記生体情報を取得することを特徴とする。
【００２６】
この一実施形態の生体情報測定機器では、上記生体情報取得部は、上記本体の外部に設けられたセンサ装置から上記生体情報を取得する。上記センサ装置としては、様々な種類の生体情報を取得するものを用いることができる。したがって、この生体情報測定機器によれば、取得可能な生体情報のバリエーションを容易に増やすことができる。
【００２７】
一実施形態の生体情報測定機器では、
上記センサ装置は、
患者から生体情報を測定して取得するセンサ部と、
上記取得された生体情報を表示することが可能なセンサ側表示部と、
上記本体側から上記表示／非表示設定情報を取り込むセンサ側設定入力部と、
上記取り込まれた表示／非表示設定情報を記憶するセンサ側設定情報記憶部と、
上記センサ側設定情報記憶部に記憶されている上記表示／非表示設定情報の内容に応じて、上記取得された生体情報を上記センサ側表示部に表示するか否かを含む制御を行うセンサ側表示／非表示切替制御部とを備えたことを特徴とする。
【００２８】
この一実施形態の生体情報測定機器では、上記センサ部による生体情報の取得前に予め、上記本体側の医療従事者ＩＤ認証部が、医療従事者を特定するための医療従事者ＩＤを取り込んで認証する。上記医療従事者ＩＤが認証された後、上記生体情報の取得前に、上記本体側の設定入力部は、上記表示部に上記生体情報の表示を許容するか否かを含む予め定められた条件を表す表示／非表示設定情報を入力する。上記本体側の設定情報記憶部は、上記表示／非表示設定情報を記憶する。センサ側設定入力部は、上記本体側から上記表示／非表示設定情報を取り込む。センサ側設定情報記憶部は、上記取り込まれた表示／非表示設定情報を記憶する。その状態で、センサ部は生体情報の測定値を取得する。すると、センサ側表示／非表示切替制御部は、上記センサ側設定情報記憶部に記憶されている上記表示／非表示設定情報の内容に応じて、上記取得された生体情報を上記センサ側表示部に表示するか否かの制御を行う。この結果、上記表示／非表示設定情報が表す「予め定められた条件」が満たされているとき上記センサ側表示部に上記生体情報が表示される一方、上記「予め定められた条件」が満たされていないときは、上記センサ側表示部に上記生体情報の表示が禁止される。
【００２９】
また、上記本体側の生体情報取得部が、上記センサ装置から上記生体情報を取得した場合、上記本体側の表示／非表示切替制御部は、上記本体側の設定情報記憶部に記憶されている上記表示／非表示設定情報の内容に応じて、上記取得された生体情報を上記本体側の表示部に表示するか否かの制御を行う。この結果、上記表示／非表示設定情報が表す「予め定められた条件」が満たされているとき上記本体側の表示部に上記生体情報が表示される一方、上記「予め定められた条件」が満たされていないときは、上記本体側の表示部に上記生体情報の表示が禁止される。
【００３０】
したがって、この生体情報測定機器によれば、患者に対する精神的ストレスの問題やプライバシーの問題を解消できる。
【００３１】
一実施形態の生体情報測定機器では、上記センサ側表示／非表示切替制御部は、上記センサ部によって生体情報が取得された後、上記本体側から上記医療従事者ＩＤ認証部によって医療従事者ＩＤが認証されたことを示す医療従事者ＩＤ認証情報を受信したとき、上記センサ側設定情報記憶部に記憶されている上記表示／非表示設定情報の内容にかかわらず、上記医療従事者ＩＤ認証情報の受信直後の一定期間だけ上記センサ側表示部に上記生体情報を表示させる制御を行うことを特徴とする。
【００３２】
この一実施形態の生体情報測定機器では、上記センサ側表示／非表示切替制御部は、上記センサ部によって生体情報が取得された後、上記本体側から上記医療従事者ＩＤ認証部によって医療従事者ＩＤが認証されたことを示す医療従事者ＩＤ認証情報を受信したとき、上記センサ側設定情報記憶部に記憶されている上記表示／非表示設定情報の内容にかかわらず、上記医療従事者ＩＤ認証情報の受信直後の一定期間だけ上記センサ側表示部に上記生体情報を表示させる制御を行う。したがって、上記表示／非表示設定情報によって上記センサ側表示部に上記生体情報の表示が禁止されている場合であっても、医療従事者は、上記センサ側表示部の表示内容を見ることによって、上記取得された生体情報の測定値を知ることができる。
【００３３】
この発明の生体情報測定システムは、
上記生体情報測定機器と、
上記生体情報測定機器とネットワークを介して通信可能に設けられたサーバとを備え、
上記サーバは、上記生体情報測定機器が設けられた病院で働く医療従事者名と医療従事者ＩＤとを対応付けて記録した医療従事者一覧リストを記憶する記憶部を備え、
上記生体情報測定機器の上記医療従事者ＩＤ認証部は、上記サーバの上記記憶部に記憶された上記医療従事者一覧リストに基づいて、上記医療従事者ＩＤを認証することを特徴とする。
【００３４】
本明細書で、「病院」とは、医院、保健センタなどの名称を問わず、医療に関する診断や治療を行う医療機関を広く指す。
【００３５】
また、「ネットワーク」とは、有線または無線を問わず、ローカルエリアネットワーク（ＬＡＮ）やワイドエリアネットワーク（ＷＡＮ）、インターネットなどのネットワークを広く指す。
【００３６】
この発明の生体情報測定システムでは、既述のように、上記生体情報測定機器は、上記生体情報取得部による生体情報の取得前に予め、医療従事者ＩＤ認証部が、医療従事者を特定するための医療従事者ＩＤを取り込んで認証する。上記医療従事者ＩＤが認証された後、上記生体情報の取得前に、設定入力部は、上記表示部に上記生体情報の表示を許容するか否かを含む予め定められた条件を表す表示／非表示設定情報を入力する。設定情報記憶部は、上記表示／非表示設定情報を記憶する。その状態で、生体情報取得部は生体情報の測定値を取得する。すると、表示／非表示切替制御部は、上記設定情報記憶部に記憶されている上記表示／非表示設定情報の内容に応じて、上記取得された生体情報を上記表示部に表示するか否かの制御を行う。すなわち、上記表示／非表示設定情報が表す「予め定められた条件」が満たされているとき上記表示部に上記生体情報の表示を許容する一方、上記「予め定められた条件」が満たされていないときは、上記表示部に上記生体情報の表示を禁止する制御を行う。したがって、この生体情報測定機器によれば、患者に対する精神的ストレスの問題やプライバシーの問題を解消できる。
【００３７】
電子カルテを導入している医療機関では、電子カルテのプログラムがインストールされたサーバの記憶部に、その病院で働く医療従事者名と医療従事者ＩＤとを対応付けて記録した医療従事者一覧リストが記憶されていることが多い。この生体情報測定システムでは、上記生体情報測定機器の上記医療従事者ＩＤ認証部は、上記サーバの上記記憶部に記憶された上記医療従事者一覧リストに基づいて、上記医療従事者ＩＤを認証する。これにより、既存のサーバの記憶部に記憶された医療従事者一覧リストを利用して、上記医療従事者ＩＤの認証を円滑かつ確実に行うことができる。
【００３８】
一実施形態の生体情報測定システムでは、
上記生体情報測定機器は、患者を特定するための患者ＩＤを取り込んで認証する患者ＩＤ認証部を備え、
上記サーバは、病院が受付をした患者名と患者ＩＤとを対応付けて記録した患者一覧リストを記憶する記憶部を備え、
上記生体情報測定機器の上記患者ＩＤ認証部は、上記サーバの上記記憶部に記憶された上記患者一覧リストに基づいて、上記患者ＩＤを認証することを特徴とする。
【００３９】
電子カルテを導入している医療機関では、電子カルテのプログラムがインストールされたサーバの記憶部に、上記医療従事者一覧リストに加えて、病院が受付をした患者名と患者ＩＤとを対応付けて記録した患者一覧リストが記憶されていることが多い。この生体情報測定システムでは、上記生体情報測定機器の上記患者ＩＤ認証部は、上記サーバの上記記憶部に記憶された上記患者一覧リストに基づいて、上記患者ＩＤを認証する。これにより、既存のサーバの記憶部に記憶された患者一覧リストを利用して、上記患者ＩＤの認証を円滑かつ確実に行うことができる。
【００４０】
また、この発明のセンサ装置は、
患者から生体情報を取得するセンサ装置であって、
１つのケーシングに、
患者から生体情報を測定して取得するセンサ部と、
上記取得された生体情報を表示することが可能な表示部と、
上記生体情報の取得前に、上記表示部に上記生体情報の表示を許容するか否かを含む予め定められた条件を表す表示／非表示設定情報を入力する設定入力部と、
上記表示／非表示設定情報を記憶する設定情報記憶部と、
上記設定情報記憶部に記憶されている上記表示／非表示設定情報の内容に応じて、上記取得された生体情報を上記表示部に表示するか否かの制御を行う表示／非表示切替制御部とが搭載されていることを特徴とする。
【００４１】
この発明のセンサ装置では、上記生体情報の取得前に、設定入力部は、上記表示部に上記生体情報の表示を許容するか否かを含む予め定められた条件を表す表示／非表示設定情報を入力する。設定情報記憶部は、上記表示／非表示設定情報を記憶する。その状態で、センサ部は、患者から生体情報を測定して取得する。すると、表示／非表示切替制御部は、上記設定情報記憶部に記憶されている上記表示／非表示設定情報の内容に応じて、上記取得された生体情報を上記表示部に表示するか否かの制御を行う。この結果、上記表示／非表示設定情報が表す「予め定められた条件」が満たされているとき上記表示部に上記生体情報が表示される一方、上記「予め定められた条件」が満たされていないときは、上記表示部に上記生体情報の表示が禁止される。したがって、このセンサ装置によれば、患者に対する精神的ストレスの問題やプライバシーの問題を解消できる。
【発明の効果】
【００４２】
以上より明らかなように、この発明の生体情報測定機器、生体情報測定システムおよびセンサ装置によれば、予め定められた条件下で測定値の表示を行うことで、患者に対する精神的ストレスの問題やプライバシーの問題を解消できる。
【図面の簡単な説明】
【００４３】
【図１】この発明の第１実施形態の生体情報測定システムの概略構成を示す図である。
【図２】上記生体情報測定システムに含まれるサーバの構成を示すブロック図である。
【図３】上記生体情報測定システムに含まれた生体情報測定機器としての血圧計の構成を示すブロック図である。
【図４Ａ】上記血圧計の表示部の、患者ＩＤ認証後、測定前における表示画面を例示する図である。
【図４Ｂ】測定値を表示する設定条件下での、上記血圧計の表示部の、測定後における表示画面を例示する図である。
【図４Ｃ】測定値を表示しない設定条件下での、上記血圧計の表示部の、測定後、かつ看護師ＩＤ未認証のときの表示画面を例示する図である。
【図４Ｄ】測定値を表示しない設定条件下での、上記血圧計の表示部の、測定後、かつ看護師ＩＤ認証後の一定期間における表示画面を例示する図である。
【図５】上記生体情報測定機器における表示／非表示設定情報を設定するフローを示す図である。
【図６】上記生体情報測定機器における測定および上記表示／非表示情報に応じた表示制御を行うフローを示す図である。
【図７】この発明の第２実施形態の生体情報測定システムの概略構成を示す図である。
【図８】上記生体情報測定システムに含まれた生体情報測定機器の構成を示すブロック図である。
【図９】上記生体情報測定機器に含まれた体温計の構成を示すブロック図である。
【図１０】上記生体情報測定機器に含まれたパルスオキシメータの構成を示すブロック図である。
【図１１Ａ】上記生体情報測定機器本体側の表示部の、患者ＩＤ認証後、測定前における表示画面を例示する図である。
【図１１Ｂ】測定値を表示する設定条件下での、上記生体情報測定機器本体側の表示部の、測定後における表示画面を例示する図である。
【図１１Ｃ】測定値を表示しない設定条件下での、上記生体情報測定機器本体側の表示部の、測定後、かつ看護師ＩＤ未認証のときの表示画面を例示する図である。
【図１１Ｄ】測定値を表示しない設定条件下での、上記生体情報測定機器本体側の表示部の、測定後、かつ看護師ＩＤ認証後の一定期間における表示画面を例示する図である。
【図１２Ａ】上記体温計側の表示部の、測定前における表示画面を例示する図である。
【図１２Ｂ】測定値を表示する設定条件下での、上記体温計側の表示部の、測定後における表示画面を例示する図である。
【図１２Ｃ】測定値を表示しない設定条件下での、上記体温計側の表示部の、測定後、かつ上記本体側で看護師ＩＤ未認証のときの表示画面を例示する図である。
【図１２Ｄ】測定値を表示しない設定条件下での、上記体温計側の表示部の、測定後、かつ上記本体側で看護師ＩＤ認証後の一定期間における表示画面を例示する図である。
【図１３Ａ】上記パルスオキシメータ側の表示部の、測定前における表示画面を例示する図である。
【図１３Ｂ】測定値を表示する設定条件下での、上記パルスオキシメータ側の表示部の、測定後における表示画面を例示する図である。
【図１３Ｃ】測定値を表示しない設定条件下での、上記パルスオキシメータ側の表示部の、測定後、かつ上記本体側で看護師ＩＤ未認証のときの表示画面を例示する図である。
【図１３Ｄ】測定値を表示しない設定条件下での、上記パルスオキシメータ側の表示部の、測定後、かつ上記本体側で看護師ＩＤ認証後の一定期間における表示画面を例示する図である。
【図１４】上記体温計、上記パルスオキシメータにおける表示／非表示設定情報を設定するフローを示す図である。
【図１５】上記体温計、上記パルスオキシメータにおける測定および上記表示／非表示情報に応じた表示制御を行うフローを示す図である。
【発明を実施するための形態】
【００４４】
以下、この発明の実施の形態を、図面を参照しながら詳細に説明する。
【００４５】
図１は、この発明の第１実施形態の生体情報測定システム（全体を符号９０Ａで示す。）のシステム構成を示している。この生体情報測定システム９０Ａは、生体情報測定機器としての血圧計１００Ａと、サーバ２００とを、ネットワーク９００を介して互いに通信可能に備えている。血圧計１００Ａには、血圧を測定するためのカフ１５１がエアホース１５１Ａを介して接続されるとともに、バーコードリーダ１５２がＵＳＢ（Universal Serial Bus）ケーブル１５２Ａを介して接続されている。
【００４６】
図３に示すように、血圧計１００Ａは、本体１００Ｍと、この本体１００Ｍに搭載された、制御部１１０と、メモリ１２０と、操作部１３０と、表示部１４０と、生体情報取得部としての測定部１５０と、通信部１９０とを含む。
【００４７】
操作部１３０は、操作ボタン・操作キーなどの操作デバイス（図示せず）が操作者によって操作されたことに応じて、操作された内容に応じた操作信号を制御部１１０に入力する。特に、この操作部１３０は、表示部１４０に生体情報の表示を許容するか否かを含む予め定められた条件を表す表示／非表示設定情報を入力するために用いられる。
【００４８】
測定部１５０は、血圧を測定するためのカフ１５１と血圧測定部１５４とを含み、患者から生体情報として最高血圧、最低血圧、脈拍の測定値を取得する。
【００４９】
メモリ１２０は、血圧計１００Ａを制御するためのプログラムのデータ、血圧計１００Ａの各種機能を設定するための設定データ、および、測定結果のデータなどを記憶する。また、メモリ１２０は、プログラムが実行されるときのワークメモリなどとして用いられる。また、メモリ１２０は、設定情報記憶部として、上記表示／非表示設定情報を記憶する。
【００５０】
制御部１１０は、ＣＰＵ（Central Processing Unit）を含み、メモリ１２０に記憶された血圧計１００Ａを制御するためのプログラムに従って、操作部１３０からの操作信号に応じて、測定部１５０からの検知信号に基づいて、メモリ１２０、表示部１４０、および、通信部１９０を制御する。
【００５１】
表示部１４０は、ディスプレイおよびインジケータ等を含み、制御部１１０からの制御信号に従って所定の情報を表示する（詳しくは後述する。）。
【００５２】
通信部１９０は、制御部１１０によって制御されて所定の情報を、ネットワーク９００を介して外部の装置に送信したり、外部の装置からの情報を、ネットワーク９００を介して受信して制御部１１０に受け渡したりする。このネットワーク９００を介した通信は、無線、有線のいずれでも良い。この実施の形態において、ネットワーク９００は、病院内ＬＡＮ（Local Area Network）であるが、これに限定されず、インターネットを介したネットワークのような他の種類のネットワークであってもよいし、ＵＳＢケーブルなどを用いた１対１の通信であってもよい。
【００５３】
この例では、既述のように、本体１００Ｍに、ＩＤ読取部としてのバーコードリーダ１５２が、本体１００Ｍに対してＵＳＢケーブル１５２Ａ（図１参照）を介して着脱可能に接続されている。バーコードリーダ１５２は、医療従事者や患者が携行するＩＤカードやリストバンド（バーコードが表示されている）からそれぞれ医療従事者ＩＤ、患者ＩＤを読み取るために用いられる。バーコードリーダ１５２は本体１００Ｍと一体に設けられていても良い。代わりに、ＩＤカードに認証用のＩＣチップが埋め込まれていれば、医療従事者ＩＤ、患者ＩＤを、本体１００Ｍと一体に設けられたＲＦＩＤ（Radio Frequency IDenditification）通信部１５３によって読み取っても良い。
【００５４】
図２に示すように、サーバ２００は、制御部２１０と、記憶部２２０と、操作部２３０と、表示部２４０と、通信部２９０とを含む。この例では、サーバ２００は、汎用のコンピュータ装置に、市販の電子カルテのプログラム（例えば、富士通製電子カルテシステム「ＨＯＰＥ／ＥＧＭＡＩＮ−ＥＸ」（登録商標））をインストールしたものである。
【００５５】
制御部２１０は、ＣＰＵ（Central Processing Unit）およびその補助回路を含み、サーバ２００の各部を制御し、記憶部２２０に記憶されたプログラムおよびデータに従って所定の処理を実行し、操作部２３０、および、通信部２９０から入力されたデータを処理し、処理したデータを、記憶部２２０に記憶させたり、表示部２４０で表示させたり、通信部２９０から出力させたりする。
【００５６】
記憶部２２０は、制御部２１０でプログラムを実行するために必要な作業領域として用いられるＲＡＭ（Random Access Memory）と、制御部２１０で実行するための基本的なプログラムを記憶するためのＲＯＭ（Read Only Memory）とを含む。この記憶部３２０には、上記電子カルテの管理を行うためのプログラムがインストールされ、また、患者名と患者ＩＤとその患者の生体情報とを対応づけて記録した電子カルテ（後述）が記憶されている。なお、記憶部２２０の記憶領域を補助するための補助記憶装置の記憶媒体として、磁気ディスク（ＨＤ（Hard Disk）、ＦＤ（Flexible Disk））、光ディスク（ＣＤ（Compact Disc）、ＤＶＤ（Digital Versatile Disk）、ＢＤ（Blu-ray Disc））、光磁気ディスク（ＭＯ（Magneto-Optical disk））、または、半導体メモリ（メモリカード、ＳＳＤ（Solid State Drive））などが用いられてもよい。
【００５７】
操作部２３０は、キーボードおよびマウスで構成され、ユーザによる操作を示す操作信号を制御部２１０に入力する。また、操作部２３０は、キーボードおよびマウスに替えて、または、加えて、タッチパネルなどの他の操作デバイスで構成されるようにしてもよい。
【００５８】
表示部２４０は、ディスプレイ（たとえば、ＬＣＤ（Liquid Crystal Display））を含む。表示部２４０は、制御部２１０によって制御されて、所定の映像をディスプレイに表示させる。
【００５９】
通信部２９０は、制御部２１０からの情報をネットワーク９００を介して他の装置に送信するとともに、他の装置からネットワーク９００を介して送信されてきた情報を受信して制御部２１０に受け渡す。
【００６０】
電子カルテは、例えば次のようなものである。
（電子カルテ）
［患者ＩＤ  １００１    患者名  オムロン  太郎］
2013144018.tif 000003
【００６１】
記憶部２２０には、このような電子カルテが患者（患者ＩＤ）毎に記憶されている。
【００６２】
さらに、記憶部２２０には、この例では、病院で働く医療従事者名と医療従事者ＩＤとを対応付けて記録した医療従事者一覧リストと、病院が受付をした患者名と患者ＩＤとを対応付けて記録した患者一覧リストとが記憶されている。
【００６３】
医療従事者一覧リストは、例えば次のようなリストである。
（医療従事者一覧リスト）
2013144018.tif 000004
【００６４】
患者一覧リストは、例えば次のようなリストである。
（患者一覧リスト）
2013144018.tif 000005
【００６５】
さて、病院で血圧計１００Ａが使用される場合、生体情報の測定前に予め、医療従事者（この例では看護師）が操作部１３０を操作することによって、表示部１４０に生体情報の表示を許容するか否かを含む予め定められた条件を表す表示／非表示設定情報が入力される。
【００６６】
表示／非表示設定情報の入力は、具体的には図５のフローに従って、次のようにして行われる。
【００６７】
まず、医療従事者（この例では看護師）がバーコードリーダ１５２を用いて、血圧計１００Ａの本体１００Ｍに、自身のＩＤカードやリストバンドから医療従事者ＩＤを入力する。すると、制御部１１０が医療従事者ＩＤ認証部として働いて、医療従事者（この例では看護士）を特定するための医療従事者ＩＤを取り込んで認証する（図５のステップＳ１０１）。
【００６８】
医療従事者ＩＤが認証された後、医療従事者が例えば操作部１３０を操作して、患者ＩＤを入力する（図５のステップＳ１０２）。この例では、図４Ａ中の左上欄に示すように、患者ＩＤは「１００２」であり、その患者ＩＤで特定される患者名は「山田  次郎」であるものとする。なお、測定対象の患者が付近に居るときは、バーコードリーダ１５２を用いて、その患者のＩＤカードやリストバンドから患者ＩＤを入力しても良い。バーコードリーダ１５２を用いて医療従事者ＩＤ、患者ＩＤを入力するようにした場合、医療従事者ＩＤの認証や患者ＩＤの認証のための作業が容易になる。
【００６９】
次に、医療従事者が操作部１３０を操作して、その患者ＩＤで特定される患者について、表示部１４０に生体情報の表示を許容するか否かを含む予め定められた条件を表す表示／非表示設定情報を入力する（図５のステップＳ１０３）。
【００７０】
具体的には、この例では、医療従事者が操作部１３０を操作すると、制御部１１０が設定入力部として働いて、表示部１４０に、デフォルトでは、次のように表示欄（１）が表示される。
測定値非表示モード：  ＯＦＦ              …（１）
【００７１】
この測定値非表示モードがＯＦＦ（オフ）であるとの表示は、設定条件として生体情報の表示を許容（測定時表示）することを表している。ここで、医療従事者が操作部１３０を操作すると、この例では次の（２）のように表示欄が切り替えられる。
測定値非表示モード：  ＯＮ                …（２）
【００７２】
この測定値非表示モードがＯＮ（オン）であるとの表示は、設定条件として生体情報の表示を全く禁止（測定時非表示）することを表している。この例では、生体情報の取得中、つまり測定中にも生体情報の表示を禁止することを意味している。この設定は、測定値によって精神的ストレスを受ける患者にとって、有益であると考えられる。
【００７３】
このようにして、制御部１１０が設定入力部として働いて、表示／非表示設定情報が患者ＩＤ毎に入力されて設定される。入力された表示／非表示設定情報は、メモリ１２０に記憶される。このように表示／非表示設定情報を患者ＩＤ毎に設定する場合、医療従事者は、患者（上の例では「山田  次郎」氏）の病状や性格に応じて、測定値を表示部１４０に表示するか否かを設定できる。
【００７４】
このようにして表示／非表示設定情報が設定された後、血圧の測定は、図６のフローに従って次のようにして行われる。
【００７５】
まず、この例では患者（医療従事者でも良い。）がバーコードリーダ１５２を用いて、血圧計１００Ａの本体１００Ｍに、患者のＩＤカードやリストバンドから患者ＩＤを読み取る。すると、制御部１１０が患者ＩＤ認証部として働いて、患者を特定するための患者ＩＤを取り込んで認証する（図６のステップＳ２０１）。この例では、図４Ａ中の左上欄に示したように、患者ＩＤは「１００２」であり、その患者ＩＤで特定される患者名は「山田  次郎」であるものとする。患者ＩＤ認証後、測定前には、図４Ａ中に示すように、表示部１４０には、最高血圧、最低血圧、脈拍がいずれも「未測定」と表示される。
【００７６】
次に、この例では患者（医療従事者でも良い。）がカフ１５１を自分の腕に巻いて、操作部１３０を操作して、血圧の測定開始を指示する。すると、血圧測定部１５４によって、最高血圧、最低血圧、脈拍が測定される（図６のステップＳ２０２）。最高血圧、最低血圧、脈拍の測定値を表すデータは、制御部１１０を介して、メモリ１２０に記憶される。このとき、制御部１１０が表示／非表示切替制御部として働いて、メモリ１２０に記憶されている表示／非表示設定情報の内容に応じて、取得された生体情報を表示部１４０に表示するか否かの制御を行う（図６のステップＳ２０２）。
【００７７】
具体的には、表示／非表示設定情報として予め定められた条件が上記（１）「測定値非表示モード：  ＯＦＦ」である場合、図４Ｂに示すように、表示部１４０に生体情報として最高血圧、最低血圧、脈拍の測定値が表示される。図４Ｂの例では、最高血圧が１２８ｍｍＨｇ、最低血圧が７８ｍｍＨｇ、脈拍が７０拍／分である。
【００７８】
一方、表示／非表示設定情報として予め定められた条件が上記（２）「測定値非表示モード：  ＯＮ」である場合、図４Ｃに示すように、表示部１４０に生体情報の表示が禁止される。図４Ｃの例では、最高血圧、最低血圧、脈拍欄にそれぞれ「＊＊＊」なるマークが表示される。この例では、測定後だけでなく、生体情報の取得中、つまり測定中にも生体情報の表示が禁止されて、最高血圧、最低血圧、脈拍欄にそれぞれ「＊＊＊」なるマークが表示される。
【００７９】
なお、このように患者に生体情報測定機器（この例では血圧計１００Ａ）の操作を許している理由は、比較的元気な患者であれば、患者自ら生体情報の測定を行うことができ、医療従事者がわざわざ測定を行わなくても、患者自らの測定による測定値を利用できるからである。
【００８０】
生体情報の測定後、医療従事者（この例では看護師）がバーコードリーダ１５２を用いて、血圧計１００Ａの本体１００Ｍに、自身のＩＤカードやリストバンドから医療従事者ＩＤを入力する。すると、制御部１１０が医療従事者ＩＤ認証部として働いて、医療従事者（この例では看護士）を特定するための医療従事者ＩＤを取り込んで認証する（図６のステップＳ２０３）。この例では、図４Ｄ中の右欄に示したように、医療従事者ＩＤは「ＮＳ１００１」であり、その医療従事者ＩＤで特定される医療従事者名は「御室  花子」であるものとする。
【００８１】
すると、制御部１１０が表示／非表示切替制御部として働いて、メモリ１２０に記憶されている上記表示／非表示設定情報の内容にかかわらず、医療従事者ＩＤの認証直後の一定期間（例えば５秒間）だけ表示部１４０に生体情報を表示させる制御を行う（図６のステップＳ２０４）。この結果、図４Ｄに示すように、一定期間として例えば５秒間だけ、表示部１４０に生体情報として最高血圧、最低血圧、脈拍の測定値が表示される（図４Ｄの例では、図４Ｂの例と同様に、最高血圧１２８ｍｍＨｇ、最低血圧７８ｍｍＨｇ、脈拍７０拍／分である）。したがって、上記表示／非表示設定情報によって表示部１４０に生体情報の表示が禁止されている場合であっても、医療従事者（この例では看護師）は、表示部１４０の表示内容を見ることによって、取得された生体情報の測定値を知ることができる。
【００８２】
なお、この実施形態では、医療従事者ＩＤの認証および患者ＩＤの認証は、
ｉ）  血圧計１００Ａが取り込んだ医療従事者ＩＤまたは患者ＩＤをサーバ２００へ送信し、
ii)  サーバ２００において、制御部２１０が、受信した医療従事者ＩＤまたは患者ＩＤと記憶部２２０に記憶されている医療従事者一覧リスト、患者一覧リストに挙げられている医療従事者ＩＤ、患者ＩＤとを対比し、
iii)  サーバ２００が互いに一致する医療従事者ＩＤ、患者ＩＤが存在するか否かを表す情報を血圧計１００Ａへ返信する
ことによって行われる。
【００８３】
電子カルテを導入している医療機関では、電子カルテのプログラムがインストールされたサーバの記憶部に、医療従事者一覧リストや患者一覧リストが記憶されていることが多い。この生体情報測定システム９０Ｂでは、医療従事者ＩＤの認証および患者ＩＤの認証は、そのようなサーバの記憶部に記憶された医療従事者一覧リスト、患者一覧リストに基づいて行われる。これにより、既存のサーバの記憶部に記憶された医療従事者一覧リストや患者一覧リストを利用して、医療従事者ＩＤの認証および患者ＩＤの認証を円滑かつ確実に行うことができる。
【００８４】
ただし、医療従事者一覧リスト、患者一覧リストを血圧計１００Ａのメモリ１２０に記憶させておき、血圧計１００Ａにおいて、制御部１１０が、バーコードリーダ１５２によって取り込んだ医療従事者ＩＤまたは患者ＩＤとメモリ１２０に記憶されている医療従事者一覧リスト、患者一覧リストに挙げられている医療従事者ＩＤ、患者ＩＤとを対比することによって、認証を行っても良い。これにより、医療従事者ＩＤの認証および患者ＩＤの認証を迅速に行うことができる。
【００８５】
また、サーバ２００は、電子カルテのプログラムがインストールされた第１のサーバと、この第１のサーバから医療従事者一覧リストや患者一覧リストのデータを受けて記憶した第２のサーバとに、分かれていても良い。その場合、医療従事者ＩＤの認証および患者ＩＤの認証のために、生体情報測定機器（この例では血圧計１００Ａ）は、第２のサーバにアクセスすれば足りる。
【００８６】
また、上記表示／非表示設定情報の入力は、本体１００Ｍに設けられた操作部１３０に対する医療従事者の操作によって入力するものとしたが、これに限られるものではない。上記本体１００Ｍの外部、例えばサーバ２００や図示しない病院内のコンピュータ端末からネットワーク９００を介して本体１００Ｍに上記表示／非表示設定情報を入力しても良い。
【００８７】
図７は、この発明の第２実施形態の生体情報測定システム（全体を符号９０Ｂで示す。）のシステム構成を示している。この生体情報測定システム９０Ｂは、生体情報測定機器１００Ｂと、サーバ２００とを、ネットワーク９００を介して互いに通信可能に備えている。生体情報測定機器１００Ｂには、図１の血圧計１００Ａにおけるのと同様に、血圧を測定するためのカフ１５１がエアホース１５１Ａを介して接続されるとともに、バーコードリーダ１５２がＵＳＢ（Universal Serial Bus）ケーブル１５２Ａを介して接続されている。さらに、生体情報測定機器１００Ｂには、患者の体温を測定するセンサ装置としての体温計３００と、患者のＳｐＯ２（動脈血酸素飽和度）測定するセンサ装置としてのパルスオキシメータ４００とが、無線で通信可能に接続されている。なお、この第２実施形態において、図１〜図３中の構成要素と同じ構成要素については、同じ符号を用いて、適宜個々の詳細な説明を省略する。
【００８８】
図８に示すように、生体情報測定機器１００Ｂの測定部１５０は、血圧を測定するためのカフ１５１と血圧測定部１５４とからなる血圧計１００Ａ′と、体温計３００と、パルスオキシメータ４００と、上記体温計３００やと無線通信を行うためのＲＦＩＤ通信部１５３とを含む。この測定部１５０によって取得された様々な種類の生体情報（主に血圧、体温、ＳｐＯ２）は、制御部１１０に入力される。このように、この生体情報測定機器１００Ｂによれば、取得可能な生体情報のバリエーションを容易に増やすことができる。
【００８９】
図９に示すように、体温計３００は、ケーシング３００Ｍと、このケーシング３００Ｍに搭載された、制御部３１０と、メモリ３２０と、センサ部３３０と、センサ側表示部としての表示部３４０と、ＲＦＩＤ通信部３９０とを含む。
【００９０】
センサ部３３０は、温度センサを含み、患者の体温を測定して取得する。
【００９１】
メモリ３２０は、体温計３００を制御するためのプログラムのデータ、体温計３００の各種機能を設定するための設定データ、および、測定結果のデータなどを記憶する。また、メモリ３２０は、プログラムが実行されるときのワークメモリなどとして用いられる。また、メモリ３２０は、センサ側設定情報記憶部として、表示部３４０に生体情報の表示を許容するか否かを含む予め定められた条件を表す表示／非表示設定情報を記憶することができる。
【００９２】
制御部３１０は、ＣＰＵ（Central Processing Unit）を含み、メモリ３２０に記憶された体温計３００を制御するためのプログラムに従って、センサ部３３０からの検知信号に基づいて、メモリ３２０、表示部３４０、および、ＲＦＩＤ通信部３９０を制御する。
【００９３】
表示部３４０は、この例ではＬＣＤ（液晶表示素子）からなり、制御部３１０からの制御信号に従って所定の情報を表示する（詳しくは後述する。）。
【００９４】
ＲＦＩＤ通信部３９０は、制御部３１０によって制御されて所定の情報を、生体情報測定機器１００Ｂの本体１００Ｍ側へ無線で送信したり、本体１００Ｍ側からの情報を、無線で受信して制御部３１０に受け渡したりする。
【００９５】
図１０に示すように、パルスオキシメータ４００は、ケーシング４００Ｍと、このケーシング４００Ｍに搭載された、制御部４１０と、メモリ４２０と、センサ部４３０と、センサ側表示部としての表示部４４０と、ＲＦＩＤ通信部４９０とを含む。
【００９６】
センサ部４３０は、発光部と受光部とを含み、患者のＳｐＯ２（動脈血酸素飽和度）を測定する。
【００９７】
メモリ４２０は、パルスオキシメータ４００を制御するためのプログラムのデータ、パルスオキシメータ４００の各種機能を設定するための設定データ、および、測定結果のデータなどを記憶する。また、メモリ４２０は、プログラムが実行されるときのワークメモリなどとして用いられる。また、メモリ４２０は、センサ側設定情報記憶部として、表示部４４０に生体情報の表示を許容するか否かを含む予め定められた条件を表す表示／非表示設定情報を記憶することができる。
【００９８】
制御部４１０は、ＣＰＵ（Central Processing Unit）を含み、メモリ４２０に記憶されたパルスオキシメータ４００を制御するためのプログラムに従って、センサ部４３０からの検知信号に基づいて、メモリ４２０、表示部４４０、および、ＲＦＩＤ通信部４９０を制御する。
【００９９】
表示部４４０は、この例ではＬＣＤ（液晶表示素子）からなり、制御部４１０からの制御信号に従って所定の情報を表示する（詳しくは後述する。）。
【０１００】
ＲＦＩＤ通信部４９０は、制御部４１０によって制御されて所定の情報を、生体情報測定機器１００Ｂの本体１００Ｍ側へ無線で送信したり、本体１００Ｍ側からの情報を、無線で受信して制御部４１０に受け渡したりする。
【０１０１】
さて、病院で生体情報測定機器１００Ｂが使用される場合、生体情報の測定前に予め、医療従事者（この例では看護師）が本体１００Ｍ側で操作部１３０を操作することによって、表示部１４０に生体情報の表示を許容するか否かを含む予め定められた条件を表す表示／非表示設定情報が入力される。
【０１０２】
本体１００Ｍ側での表示／非表示設定情報の入力は、第１実施形態におけるのと全く同様に、図５のフローに従って行われる（重複する説明は省略する。）。入力された表示／非表示設定情報は、メモリ１２０に記憶される。
【０１０３】
その状態で、医療従事者が体温計３００とパルスオキシメータ４００を本体１００Ｍの特にＲＦＩＤ通信部１９０に接近させるものとする。すると、図１４のフローに示すように、体温計３００とパルスオキシメータ４００のＲＦＩＤ通信部３９０，４９０がそれぞれセンサ側設定入力部として働いて本体１００Ｍ側から表示／非表示設定情報を受信する（図１４のステップＳ３０１でＹＥＳ）。体温計３００やパルスオキシメータ４００が受信した表示／非表示設定情報は、制御部３１０，４１０によって取り込まれ、それぞれメモリ３２０，４２０に記憶される（図１４のステップＳ３０２）。
【０１０４】
このようにして体温計３００やパルスオキシメータ４００側に表示／非表示設定情報が設定された後、体温とＳｐＯ２の測定は、図１５のフローに従って次のようにして行われる。なお、体温とＳｐＯ２の測定前には、図１２Ａ，図１３Ａ中に示すように、表示部３４０，４４０には、体温とＳｐＯ２がいずれも「Ｌｏｗ」と表示される。また、図１１Ａ中に示すように、本体１００Ｍ側の表示部１４０には、体温とＳｐＯ２がいずれも「未測定」と表示される。
【０１０５】
この例では患者（医療従事者でも良い。）が体温計３００とパルスオキシメータ４００を用いて、それぞれ体温とＳｐＯ２の測定を開始する。これにより、体温計３００とパルスオキシメータ４００のセンサ部３３０，４３０は生体情報の測定値を取得する（図１５のステップＳ４０１）。このとき、体温計３００とパルスオキシメータ４００の制御部３１０，４１０がそれぞれセンサ側表示／非表示切替制御部として働いて、メモリ３２０，４２０に記憶されている表示／非表示設定情報の内容に応じて、取得された体温とＳｐＯ２の測定値を表示部３４０，４４０に表示するか否かの制御を行う（図１５のステップＳ４０１）。
【０１０６】
具体的には、表示／非表示設定情報として予め定められた条件が上記（１）「測定値非表示モード：  ＯＦＦ」である場合、図１２Ｂ，図１３Ｂ中に示すように、表示部３４０，４４０に生体情報としてそれぞれ体温、ＳｐＯ２の測定値が表示される。図１２Ｂの例では、体温が３６．８℃であり、図１３Ｂの例ではＳｐＯ２が９８％である。このとき、患者が体温計３００とパルスオキシメータ４００を本体１００Ｍの特にＲＦＩＤ通信部１９０に接近させるものとする。その場合、体温計３００とパルスオキシメータ４００から本体１００Ｍへ無線（ＲＦＩＤ）通信によってそれぞれ体温、ＳｐＯ２の測定値が転送されて、図１１Ｂ中に示すように、本体１００Ｍ側の表示部１４０には、体温の測定値（３６．８℃）とＳｐＯ２の測定値（９８％）がそれぞれ表示される（図１１Ｂ〜図１１Ｄの表示例は、体温計３００とパルスオキシメータ４００による測定と血圧計１００Ａ′による測定とを並行して行った場合の表示例を示している。）。
【０１０７】
一方、表示／非表示設定情報として予め定められた条件が上記（２）「測定値非表示モード：  ＯＮ」である場合、図１２Ｃ，図１３Ｃに示すように、表示部３４０，４４０に生体情報の表示が禁止される。図１２Ｃ，図１３Ｃの例では、体温、ＳｐＯ２欄にそれぞれ「＊＊＊」、「＊＊」なるマークが表示される。この例では、測定後だけでなく、生体情報の取得中、つまり測定中にも生体情報の表示が禁止されて、体温、ＳｐＯ２欄にそれぞれ「＊＊＊」、「＊＊」なるマークが表示される。このとき、患者が体温計３００とパルスオキシメータ４００を本体１００Ｍの特にＲＦＩＤ通信部１９０に接近させるものとする。その場合、体温計３００とパルスオキシメータ４００から本体１００Ｍへ無線（ＲＦＩＤ）通信によってそれぞれ体温、ＳｐＯ２の測定値が転送される。しかし、図１１Ｃ中に示すように、制御部１１０によって生体情報の表示が禁止されて、本体１００Ｍ側の表示部１４０には、体温、ＳｐＯ２欄にそれぞれ「＊＊＊」なるマークが表示される。
【０１０８】
生体情報の測定後、図６のステップＳ２０３に示したのと同様に、医療従事者（この例では看護師）がバーコードリーダ１５２を用いて、生体情報測定機器１００Ｂの本体１００Ｍに、自身のＩＤカードやリストバンドから医療従事者ＩＤを入力する。すると、制御部１１０が医療従事者ＩＤ認証部として働いて、医療従事者（この例では看護士）を特定するための医療従事者ＩＤを取り込んで認証する。この例では、図１１Ｄ中の右欄に示したように、医療従事者ＩＤは「ＮＳ１００１」であり、その医療従事者ＩＤで特定される医療従事者名は「御室  花子」であるものとする。
【０１０９】
すると、図６のステップＳ２０４に示したのと同様に、本体１００Ｍの制御部１１０が表示／非表示切替制御部として働いて、メモリ１２０に記憶されている上記表示／非表示設定情報の内容にかかわらず、医療従事者ＩＤの認証直後の一定期間（例えば５秒間）だけ表示部１４０に生体情報を表示させる制御を行う。この結果、図１１Ｄ中に示すように、一定期間として例えば５秒間だけ、本体１００Ｍ側の表示部１４０には、体温の測定値（３６．８℃）とＳｐＯ２の測定値（９８％）がそれぞれ表示される。したがって、上記表示／非表示設定情報によって本体１００Ｍ側の表示部１４０に生体情報の表示が禁止されている場合であっても、医療従事者（この例では看護師）は、本体１００Ｍ側の表示部１４０の表示内容を見ることによって、取得された生体情報の測定値を知ることができる。
【０１１０】
このとき、医療従事者（患者でも良い。）が体温計３００とパルスオキシメータ４００を本体１００Ｍの特にＲＦＩＤ通信部１９０に接近させるものとする。その場合、本体１００Ｍから体温計３００とパルスオキシメータ４００へ無線（ＲＦＩＤ）通信によってそれぞれ、本体１００Ｍ側で医療従事者ＩＤが認証されたことを示す情報（医療従事者ＩＤ認証情報）が転送される。体温計３００とパルスオキシメータ４００側では、医療従事者ＩＤ認証情報を受信したとき（図１５のステップＳ４０２でＹＥＳ）、制御部３１０，４１０がそれぞれセンサ側表示／非表示切替制御部として働いて、メモリ３２０，４２０に記憶されている上記表示／非表示設定情報の内容にかかわらず、上記医療従事者ＩＤ認証情報の受信直後の一定期間（例えば５秒間）だけ表示部３４０，４４０に生体情報を表示させる制御を行う（図１５のステップＳ４０３）。この結果、図１２Ｄ，図１３Ｄ中に示すように、一定期間として例えば５秒間だけ、センサ側の表示部３４０，４４０には、体温の測定値（３６．８℃）とＳｐＯ２の測定値（９８％）がそれぞれ表示される。したがって、上記表示／非表示設定情報によってセンサ側の表示部３４０，４４０に生体情報の表示が禁止されている場合であっても、医療従事者は、表示部３４０，４４０の表示内容を見ることによって、取得された生体情報の測定値を知ることができる。
【０１１１】
上の説明では、体温計３００とパルスオキシメータ４００による測定（および血圧計１００Ａ′による測定）を並行して行うものとしたが、これに限られるものではない。体温計３００とパルスオキシメータ４００による測定はそれぞれ単独で行っても良い。その場合、未測定の生体情報については、本体１００Ｍ側の表示部１４０の表示は「未測定」のまま留まり、センサ側の表示部３４０または４４０の表示は「Ｌｏｗ」のまま留まる。
【０１１２】
なお、生体情報が取得された直後の一定期間は、周囲の入院患者が表示部１４０を覗き込むのを遠慮することがあり、プライバシーの問題は生じにくいと考えられる。また、患者の中には、測定値によって精神的ストレスを受けず、むしろ測定値を知るのが好ましい人もいる。そこで、表示／非表示設定情報が表す「予め定められた条件」としては、単に表示部１４０に生体情報の表示を許容するか否か（測定値非表示モードＯＮまたはＯＦＦ）のほかに、一定期間だけ生体情報の表示を許容する条件などを含むことができる。一定期間だけ生体情報の表示を許容する場合は、表示部１４０に例えば次の（３）のように表示欄を表示して、医療従事者に選択させれば良い。
測定値非表示モード：  ５秒後にＯＮ        …（３）
【０１１３】
この測定値非表示モードが５秒後にＯＮであるとの表示は、一定期間として例えば測定直後の５秒間だけ生体情報の表示を許容し、それ以降の表示を禁止することを表している。この結果、患者自身は、取得された生体情報の測定値を知ることができる。
【０１１４】
上の実施形態では、生体情報測定機器１００Ｂが測定する「生体情報」は、主に血圧、体温、ＳｐＯ２であるものとした。当然ながら、この発明はこれに限られるものではなく、この発明の生体情報測定機器は、その他に脈拍、呼吸数など、患者の生体に関する情報を広く測定するものであっても良い。
【符号の説明】
【０１１５】
９０Ａ，９０Ｂ  生体情報測定システム
１００Ａ  血圧計
１００Ｂ  生体情報測定機器
２００  サーバ
３００  体温計
４００  パルスオキシメータ
９００  ネットワーク
【図１】
2013144018.tif 000006
【図２】
2013144018.tif 000007
【図３】
2013144018.tif 000008
【図４Ａ】
2013144018.tif 000009
【図４Ｂ】
2013144018.tif 000010
【図４Ｃ】
2013144018.tif 000011
【図４Ｄ】
2013144018.tif 000012
【図５】
2013144018.tif 000013
【図６】
2013144018.tif 000014
【図７】
2013144018.tif 000015
【図８】
2013144018.tif 000016
【図９】
2013144018.tif 000017
【図１０】
2013144018.tif 000018
【図１１Ａ】
2013144018.tif 000019
【図１１Ｂ】
2013144018.tif 000020
【図１１Ｃ】
2013144018.tif 000021
【図１１Ｄ】
2013144018.tif 000022
【図１２Ａ】
2013144018.tif 000023
【図１２Ｂ】
2013144018.tif 000024
【図１２Ｃ】
2013144018.tif 000025
【図１２Ｄ】
2013144018.tif 000026
【図１３Ａ】
2013144018.tif 000027
【図１３Ｂ】
2013144018.tif 000028
【図１３Ｃ】
2013144018.tif 000029
【図１３Ｄ】
2013144018.tif 000030
【図１４】
2013144018.tif 000031
【図１５】
2013144018.tif 000032